(57)【要約】【課題】吸気側の利用は、気圧低下の低温沸騰や真空容器容器内の気圧をさげ、気化熱による急速温度低下並びに、真空梱包機への応用により、食品加工工場の効率向上。排気側では、液中に１０ミクロン以下の泡を大量かつ遠距離まで送ることができ、水中の溶存酸素濃度を高めると共に、水中の不純物の除去、オゾンガスの応用で水の殺菌や水にオゾンを溶かし殺菌水の製造、活魚等の運搬車両への積載等で幅広く利用できる、高負圧エジェクターを提供する。【解決手段】中央に前方に向かって細くなるテーパー状の流入孔を設けると共に、先端に円筒状の放出部を突設してなる吸気ノズルと、中央に前方に向かって広くなるテーパー状の排出孔を設けると共に、後端に円筒状の流入部を突設してなる排気ノズルと、吸気継ぎ手を設けた円筒状のノズル本体と、中央部に流通孔を設けた配管連結部とからなることを特徴とする。【選択図】  図１
2004174475.tif 000002
【特許請求の範囲】
【請求項１】
中央に前方に向かって細くなるテーパー状の流入孔を設けると共に、先端に円筒状の放出部を突設してなる吸気ノズルと、中央に前方に向かって広くなるテーパー状の排出孔を設けると共に、後端に円筒状の流入部を突設してなる排気ノズルと、吸気継ぎ手を設けた円筒状のノズル本体と、中央部に流通孔を設けた配管連結部とからなることを特徴とするエジェクター装置。
【請求項２】
放出部の内径より、流入部の内径を０．２ｍｍから０．３ｍｍ大きくしてなることを特徴とする請求項１記載のエジェクター装置。
【請求項３】
ノズル本体内後部に、放出部を前方にして吸気ノズルを設け、ノズル本体内前部に、流出部を後方にして排気ノズルを設けると共に、吸気ノズルの後部に配管連結部を設けてなる構成であることを特徴とする請求項１又は２記載のエジェクター装置。
【請求項４】
放出部の端面と、流入部の端面との間に、吸気継ぎ手から吸い込まれる気体を流入させるべく、隙間を構成してなることを特徴とする請求項１、２又は３記載のエジェクター装置。
【請求項５】
隙間を１ｍｍから２ｍｍとすることを特徴とする請求項４記載のエジェクター装置。
【請求項６】
隙間の外周に空間部を形成してなることを特徴とする請求項４又は５記載のエジェクター装置。
【請求項７】
液中に１０ミクロン以下の泡を混合できることを特徴とする請求項１、２、３、４、５又は６記載のエジェクター装置。
【発明の詳細な説明】
【０００１】
【発明の属する技術分野】
この発明は、特に液体と気体の２つの流体を効率よく混合するもので、液中に１０ミクロン以下の泡を混合し、殺菌水や酸素水等を製造できるエジェクター装置に関するものである。
【０００２】
【従来の技術】
従来の技術として、１つの流体を流入させる複数の通路を有するノズル部と、これに相対する複数の通路を有する混合部を、相対する各通路が同軸心状にそれぞれ合致すべく対向して配し、他の１つの流体を導入する孔を有する吸入室を前記ノズル部と混合部の相互間に配設して、相対する各通路が吸入室を介して連通すべく成り、先方部に複数の通路から成る混合部を穿設して本体とし、該本体の反対側の手前部を開口し混合部に向かって穿設した嵌合洞部の混合部に通じる懐部を吸入室として確保して胴側壁に導入孔を穿設し、該嵌合洞部に複数の通路を穿設せるノズル部を嵌入して相対する各通路を合致させ任意の固定手段により結合して成ると共に、前記混合部は、通路の一部または全部を、通路全域またはその対向口部の内径を、相対するノズル部通路またはその対向口部の内径よりも０．８〜２．０ｍｍ大きく形成して成るエジェクター装置がある。（特許文献１参照）
【０００３】
【特許文献１】
特開平１１−４２４２７号公報（請求項１、第１図）
【０００４】
【発明が解決しようとする課題】
しかし、上記のような形態では、吸引容量と吸引真空度を高めるため、１つの流体の圧入流量を大きくし、それに応じて他の１つの流体の吸引容量および吸引真空度を高めようとしているが、吸入室を複数のノズル部と混合部の相互間に配設しているため、高馬力高負圧のポンプ等が必要となる。
また、通路全域またはその対向口部の内径を、相対するノズル部通路またはその対向口部の内径よりも１ｍｍ程度大きく形成してなるが、大き過ぎて、逆に吸引真空度が低下するのではないかと思われる。
【０００５】
本発明は、上記の問題点に鑑みなされたもので、その目的は、吸気側の利用は、気圧低下の低温沸騰や真空容器容器内の気圧をさげ、気化熱による急速温度低下並びに、真空梱包機への応用により、食品加工工場の効率向上。
排気側では、液中に１０ミクロン以下の泡を大量かつ遠距離まで送ることができ、水中の溶存酸素濃度を高めると共に、水中の不純物の除去、オゾンガスの応用で水の殺菌や水にオゾンを溶かし殺菌水の製造、活魚等の運搬車両への積載等で幅広く利用できる、高負圧エジェクターを提供するものである。
【０００６】
【課題を解決するための手段】
上記課題を解決するための手段として、中央に前方に向かって細くなるテーパー状の流入孔を設けると共に、先端に円筒状の放出部を突設してなる吸気ノズルと、中央に前方に向かって広くなるテーパー状の排出孔を設けると共に、後端に円筒状の流入部を突設してなる排気ノズルと、吸気継ぎ手を設けた円筒状のノズル本体と、中央部に流通孔を設けた配管連結部とからなること。また、放出部の内径より、流入部の内径を０．２ｍｍから０．３ｍｍ大きくしてなること。ノズル本体内後部に、放出部を前方にして吸気ノズルを設け、ノズル本体内前部に、流出部を後方にして排気ノズルを設けると共に、吸気ノズルの後部に配管連結部を設けてなる構成であること。さらに、放出部の端面と、流入部の端面との間に、吸気継ぎ手から吸い込まれる気体を流入させるべく、隙間を構成してなること。隙間を１ｍｍから２ｍｍとすること。隙間の外周に空間部を形成してなること。その上、液中に１０ミクロン以下の泡を混合できることを特徴とする。
【０００７】
【発明の実施の形態】
エジェクター装置１は、中央に、前方に向かって細くなるテーパー状の流入孔２ａを設けると共に、先端に円筒状の内面をテーパー状にしてなる放出部２ｂを突設してなる吸気ノズル２と、中央に、前方に向かって広くなるテーパー状の排出孔３ａを設けると共に、後端に円筒状の内面をフラット状にしてなる流入部３ｂを突設してなる排気ノズル３と、吸気継ぎ手４ａを突設した円筒状のノズル本体４と、中央部に水平な流通孔５ａを設けた配管連結部５とからなるもので、ノズル本体４内の後部に、放出部２ｂを前方にして吸気ノズル２を設け、ノズル本体４内の前部に、流入部３ｂを後方にして排気ノズル３を設けると共に、吸気ノズル２の後部に配管連結部５を設けてなる構成である。
【０００８】
なお、放出部２ｂの端面と、流入部３ｂの端面との間に、吸気継ぎ手４ａから吸い込まれる気体を流入させるべく、隙間Ｓを１ｍｍから２ｍｍとしてなる。
また、放出部２ｂの内径２ｂ１より流入部３ｂの内径３ｂ１を０．２ｍｍから０．３ｍｍ大きくしてなる。
さらに、隙間Ｓの外周にドーナツ状の空間Ｋを設けてなるものである。
【０００９】
上記エジェクター装置１の使用例について下記に述べる。
ポンプＰの吸水口Ｐ１に吸水管Ｂを取り付け、水槽に接続、若しくは挿入する。
つぎに、ポンプＰの排出口Ｐ２に送水管Ｃを取り付け、水槽内に固定若しくは置き、循環型の水槽ＪＳを形成する。
なお、配管類はホースでも代用可能である。
送水管Ｃを水槽ＪＳ内で水没させ、途中若しくは先端にエジェクター装置１を取り付ける。
また、ポンプ容量でエジェクター装置１を、複数取り付け可能である。
つぎに、エジェクター装置１の吸気継ぎ手４ａに、チューブＴ若しくは、配管類を繋ぎ、空気やオゾン（オゾン発生器Ｏ）を吸気できるよう、水槽ＪＳの外に設ける。
この状態でポンプＰを作動させることにより、水Ｍが吸水管Ｂを通りポンプＰに吸い込まれポンプＰの排出口Ｐ２より、水Ｍが送水管Ｃを通りエジェクター装置１に送られる。
送られた水Ｍは、吸気ノズル２で絞られ圧力を増し、流速を高め水柱Ｈとなって排気ノズル３の中央を高速で通過する。
その際、排気ノズル３の中で中央を通過する水柱Ｈと周辺の静止水との間に摩擦がおき、負圧が生じ、逆流水Ｇが発生し、排気ノズル３内に逆流するに従い、急速に流速を高め、逆流水Ｇと水柱Ｈの隙間ＳＭに、より強い摩擦が生じ高い真空が発生し、発生した真空を水平な隙間ＨＳに集中させることで高負圧を発生する。
そして、高負圧を発生した、隙間ＨＳに隙間Ｓから気体Ｏ（周囲の空間Ｋより）を自吸させ、隙間ＳＭに入り逆流水Ｇと、水柱Ｈと隙間ＳＭの真空で微細に曝気させ、微細な泡Ａが発生し、排気ノズル３から放出される。
その際、水柱Ｈが慣性を保ち続ける距離だけ微細な泡Ａは、水平に移動し続ける。
例えば、水槽ＪＳで水柱Ｈが慣性を保ち続け縦の回転対流を連続的に起こし続ければ、水槽ＪＳ内の水は、乳白色に変化し、１０ミクロン以下の泡Ａのため、水面には泡立たない。
【００１０】
上記のように排出ノズル３から放出された１０ミクロン以下の微細な泡Ａの単位体積当たりの気泡表面積が大きいため、酸素やオゾンＯが溶けやすく、泡Ａは、電気的に帯電しており、水中の不純物や浮遊物に対し付着性を持つ。
また、吸気量及び吸気圧は制御バルブの具備（図示せず）で、制御は容易に行うことができる。
【００１１】
また、本発明は高負圧をも発生する。
高負圧の使用例では、吸気継ぎ手４ａにチューブＴ若しくは配管を接続するだけで容易に負圧が取り出せ、実験では１５０Ｗのポンプ、締め切り圧７０ｋｐａのポンプで−９８．１ｋｐａの負圧を発生し、密封容器の使用により常温で水が沸騰する。
【００１２】
さらに、他の実験結果を下記に述べる。
（１）、本発明のエジェクター装置で、巾２ｍ長さ３ｍ深さ２ｍの１２ｍ３の水槽が５分程度で泡が行き渡り、１時間程度で溶存酸素の飽和状態に至り、水槽内が乳白色に変化し、魚介類やプランクトンの育成に多大な効果を有する。
（２）、オゾンガスの使用により、殻付生牡蠣の殺菌処理を行った結果、１０ミクロン以下の泡の中で２０時間育成した牡蠣の細菌数は実験前、Ｅ．ｃｏｌｉ（ＭＰＮ／１００ｇ）は１５３０で細菌数（個／ｇ）１２４０００であったが、殺菌処理をした結果、Ｅ．ｃｏｌｉ（ＭＰＮ／１００ｇ）は２３０で細菌数は５００と生食用の適応基準まで殺菌した。
（３）、オゾンガスの使用により、殻付生牡蠣の小型球形ウィルス（ＳＲＳＶ）の殺菌処理実験を行った結果、殺菌機未使用は陽性反応が出たが、殺菌機使用は陰性と結果が出た。
但し、牡蠣自体の生体の問題で摂取した物が排出されるまで２０時間以上必要で、短時間でもウィルスの膈膜は破壊している可能性は大であるが、遺伝子が排出されるまで検査結果としては陽性反応が出ることがある。
（４）、本発明の高負圧発生のエジェクター装置で発生した、電気的に帯電した１０ミクロン以下の微細な泡が、水中の微細な浮遊物や不純物に付着し水面まで浮上させ、それを取り除くことで水質の浄化や環境が改善できた。
【００１３】
上記各実施例において、エジェクター装置の大きさ及び数量ならびにポンプ能力は、水槽の体積や負圧使用量に合わせ、適時選択することができる。
【００１４】
【発明の効果】
（１）、本発明は、吸気側の利用は、気圧低下の低温沸騰や真空容器容器内の気圧をさげ、気化熱による急速温度低下並びに、真空梱包機への応用により、食品加工工場の効率向上。排出側では、液中に１０ミクロン以下の泡を大量かつ遠距離まで送ることができ、水中の溶存酸素濃度を高めると共に、水中の不純物の除去。オゾンガスの応用で水の殺菌や水にオゾンを溶かし殺菌水の製造、活魚等の運搬車両への積載等で幅広く利用できる。
（２）、放出部の内径より流入部の内径を０．２ｍｍから０．３ｍｍ大きくすることにより、吸引真空度を一層高めることができる。
（３）、隙間を１ｍｍから２ｍｍにすることにより、空気やオゾン等の気体と、水等の混合率（濃度）を飛躍的に向上させることができる。
（４）、１０ミクロン以下の泡を６ｍ以上水平方向に送れるものである。
【図面の簡単な説明】
【図１】本発明の一実施例を示すエジェクター装置の縦断正面図。
【図２】本発明の一実施例を示すエジェクター装置の縦断側面図。
【図３】本発明の一実施例を示すエジェクター装置を水槽内に設けた使用状態図。
【図４】本発明の一実施例を示すエジェクター装置の使用状態図。
【符号の説明】
１−−−エジェクター装置
２−−−吸気ノズル
２ａ−−流入孔
２ｂ−−放出部
３−−−排気ノズル
３ａ−−排出孔
３ｂ−−流入部
４−−−ノズル本体
４ａ−−吸気継ぎ手
５−−−配管連結部
【図１】
2004174475.tif 000003
【図２】
2004174475.tif 000004
【図３】
2004174475.tif 000005
【図４】
2004174475.tif 000006